(57)【要約】【課題】ユーザーが特別な設定を行わなくとも運用可能なスマートタップを用いた電力使用量管理システムを提供する。【解決手段】電力量管理システムは、分電盤１に繋がるコンセント２ａ〜２ｃと、コンセント２ｂに取り付けられるスマートタップ３ａと、スマートタップ３ａに取り付けられるテーブルタップ４と、テーブルタップ４に取り付けられるスマートタップ３ｂ〜３ｃと、スマートタップ３ｂ〜３ｃに取り付けられる負荷５ａ〜５ｃと、コンセント２ａに繋がる親機６とで構成され、スマートタップ３ａ〜３ｃに設けられた電力計測部により、接続された負荷５ａ，５ｂが使用する電力量を測定し、スマートタップ３ａ〜３ｃに設けられた通信部により、測定した電力量を親機６に送信し、親機６記憶部内に電力使用量を蓄積する。【選択図】図１
2014060827.tif 000002
【特許請求の範囲】
【請求項１】
受電用差込プラグと、給電用コンセントと、前記給電用コンセントのそれぞれに接続された機器が消費する電力量を計測する電力量計側部と、を備えた電力量測定機能付き電源タップと、
前記電力量を蓄積する記憶部を備える電力量蓄積機、とで構成される電力使用量管理システムにおいて、
前記電力量測定機能付き電源タップは、受電側配線路上と給電側配線路上で配線路を介して通信を行う通信部と、上記受電側配線路と上記給電側給電側間の配線路上の通信信号を遮断する通信遮断部とを備えており、
前記電力量蓄積機は、受電側配線路上で配線路を介した通信を行う通信部を備えており、
前記電力量測定機能付き電源タップから配線路を経由して取得した前記電力量を前記記憶部に蓄積することを特徴とする電力使用量管理システム。
【請求項２】
請求項１に記載の電力使用量管理システムにおいて、
前記電力量蓄積機は、無線を使用した通信を行う無線通信部を備えており、
前記電力量測定機能付き電源タップは、無線を使用した通信を行う無線通信部を備えており、
前記電力量測定機能付き電源タップから無線路を経由して前記電力量を取得し、前記電力量蓄積機の前記記憶部に前記電力量を蓄積することを特徴とする電力使用量管理システム。
【請求項３】
請求項２に記載の電力使用量管理システムにおいて、
前記電力量蓄積機から、前記電力量測定機能付き電源タップが前記電力量測定機能付き電源タップの前記通信部を用いて、認証情報を取得し、この認証情報を使用し前記電力量測定機能付き電源タップの前記無線通信部で、前記電力量蓄積機と通信を行うことを特徴とする電力使用量管理システム。
【請求項４】
請求項１から３までのいずれか１項に記載の電力量管理システムにおいて、
前記電力量測定機能付き電源タップの受電用差込プラグに電力が供給されたときに、受電側配線路へ自身のＩＤと共に接続要求信号を送信し、
また、給電側配線路から接続要求信号を受け付けたときに、給電側配線路へ自身のＩＤと共に接続確認信号を返し、
また、受電側配線路から接続確認信号を受け付けたときに、受電側配線路に自身のＩＤと接続確認信号に付随するＩＤと共に登録要求信号を送信し、
また、給電側配線路から登録要求信号を受け付けたときに、その信号をそのまま受電側配線路に送信し、
また、受電側配線路から登録確認信号を受け付けたときに、その登録確認信号の宛先が自身でない場合は、その信号をそのまま給電側配線路に送信する電力量測定機能付き電源タップと、
前記電力量蓄積部の受電側配線路から接続要求信号を受け付けたときに、受電側配線路へ自身のＩＤと共に接続確認信号を送信し、
受電側配線路から登録要求信号を受け付けたときに、その登録要求を記憶部に記憶すると共に、受電側配線路へ登録確認信号を送信する電力量蓄積部と、により構成されることを特徴とする電力使用量管理システム。
【発明の詳細な説明】
【技術分野】
【０００１】
本発明は、電力使用量管理システムにおける、スマートタップ間の通信方法に関する。
【背景技術】
【０００２】
従来の電力計測システムとしては、例えば、特許文献１，２に記載されているようなものがある。
【０００３】
特許文献１には、建物側の電源供給口に差し込む差込部と、前記電源供給口から供給された電力を外部に供給するための受入口と、その受入口に接続される電力負荷装置の電力消費量を計測する電力消費量計測器と、その電力消費量計測器による計測値を送信する通信部とを有する計測タップと、前記建物の分電盤に係る電力量を計測する電力量計測器と、その電力量計測器による計測値を送信する通信部とを有する分電盤計測装置と、前記計測タップ及び前記分電盤計測装置から送信された計測値を受信する通信部と、受信した計測値を記憶させるデータ蓄積部とを有する集計管理装置とを備えた計測管理システムが記載されている。
【０００４】
また、特許文献２には、電力計測装置の差込プラグがコンセントに差込接続されると、電源部が電源供給（給電）を開始して制御部３３が起動し、電力計測装置は、情報伝送部で伝送信号を受信して制御部が参入確認のメッセージを受け取ると、表示部の表示素子を緑色に発光（点灯）させて、使用者は、表示部の表示（緑色の発光）によって電力計測装置が通信ネットワークに参入できたことを確認できる電力計測装置及び電力計測システムが記載されている。
【０００５】
従来この種の電力管理システムでは、スマートタップを新規に使用する場合、親機に対してペアリングを行う場合、あるいは、スマートタップ同士の上下関係を設定する場合、手動で登録する必要がある。
【先行技術文献】
【特許文献】
【０００６】
【特許文献１】特開２０１０−２１６９５３号公報
【特許文献２】特開２０１１−１８０７３８号公報
【発明の概要】
【発明が解決しようとする課題】
【０００７】
つまり、従来技術では、ユーザーがこの管理システムを使用するまでに非常に手間がかかり、また、スマートタップを差し込むコンセントを変更した場合、スマートタップの再登録が必要になり、またスマートタップ同士の上下関係を正しく設定できないと正しい使用電力を把握することができないという問題点があった。
【０００８】
本発明は上記事由を鑑みて為されたものであり、その目的は、ユーザーが特別な設定を行わなくとも運用可能なスマートタップを用いた電力使用量管理システムを提供することにある。
【課題を解決するための手段】
【０００９】
本発明の電力使用量管理システムは、受電用差込プラグと、給電用コンセントと、前記給電用コンセントのそれぞれに接続された機器が消費する電力量を計測する電力量計側部と、を備えた電力量測定機能付き電源タップと、前記電力量を蓄積する記憶部を備える電力量蓄積機、とで構成される電力使用量管理システムにおいて、前記電力量測定機能付き電源タップは、受電側配線路上と給電側配線路上で配線路を介して通信を行う通信部と、上記受電側配線路と上記給電側給電側間の配線路上の通信信号を遮断する通信遮断部とを備えており、前記電力量蓄積機は、受電側配線路上で配線路を介した通信を行う通信部を備えており、前記電力量測定機能付き電源タップから配線路を経由して取得した前記電力量を前記記憶部に蓄積することを特徴とする。
【００１０】
また、本発明の電力使用量管理システムは、更に、前記電力量蓄積機は、無線を使用した通信を行う無線通信部を備えており、前記電力量測定機能付き電源タップは、無線を使用した通信を行う無線通信部を備えており、前記電力量測定機能付き電源タップから無線路を経由して前記電力量を取得し、前記電力量蓄積機の前記記憶部に前記電力量を蓄積することを特徴とする。
【００１１】
また、本発明の電力使用量管理システムは、更に、前記電力量蓄積機から、前記電力量測定機能付き電源タップが前記電力量測定機能付き電源タップの前記通信部を用いて、認証情報を取得し、この認証情報を使用し前記電力量測定機能付き電源タップの前記無線通信部で、前記電力量蓄積機と通信を行うことを特徴とする。
【００１２】
また、本発明の電力使用量管理システムは、更に、前記電力量測定機能付き電源タップの受電用差込プラグに電力が供給されたときに、受電側配線路へ自身のＩＤと共に接続要求信号を送信し、また、給電側配線路から接続要求信号を受け付けたときに、給電側配線路へ自身のＩＤと共に接続確認信号を返し、また、受電側配線路から接続確認信号を受け付けたときに、受電側配線路に自身のＩＤと接続確認信号に付随するＩＤと共に登録要求信号を送信し、また、給電側配線路から登録要求信号を受け付けたときに、その信号をそのまま受電側配線路に送信し、また、受電側配線路から登録確認信号を受け付けたときに、その登録確認信号の宛先が自身でない場合は、その信号をそのまま給電側配線路に送信する電力量測定機能付き電源タップと、前記電力量蓄積部の受電側配線路から接続要求信号を受け付けたときに、受電側配線路へ自身のＩＤと共に接続確認信号を送信し、受電側配線路から登録要求信号を受け付けたときに、その登録要求を記憶部に記憶すると共に、受電側配線路へ登録確認信号を送信する電力量蓄積部と、により構成されることを特徴とする。
【発明の効果】
【００１３】
本発明によれば、ユーザーが特別な設定を行わなくとも運用可能なスマートタップを用いた電力使用量管理システムを提供することができる。
【図面の簡単な説明】
【００１４】
【図１】図１は、本発明の実施例１の電力量管理システム全体構成について説明する図である。
【図２】図２は、本発明の実施例１のスマートタップについて説明する図である。
【図３】図３は、本発明の実施例１の複数の給電用コンセントを備えるスマートタップについて説明する図である。
【図４】図４は、本発明の実施例１の親機について説明する図である。
【図５】図５は、接続要求、接続確認、登録要求、測定データ、拒否の各信号の内容を示した図である。
【図６】図６は、実施例１に係る親機の処理手順を示すフローチャートである。
【図７】図７は、実施例１に係るスマートタップの処理手順を示すフローチャートである。
【図８】図８は、実施例１に係るスマートタップの処理手順を示すフローチャートの図７の続き部分である。
【図９】図９は、スマートタップ（Ｉ）が接続される際の図である。
【図１０】図１０は、図９に示すようにスマートタップ（Ｉ）が接続される際の、実施例１に係る親機とスマートタップ（Ｉ）との間の通信のシーケンスを示すシーケンス図である。
【図１１】図１１は、スマートタップ（ＩＩ）とスマートタップ（ＩＩＩ）が繋がった状態で接続される際の図である。
【図１２】図１２は、図１１に示すようにスマートタップ（ＩＩ）とスマートタップ（ＩＩＩ）が繋がった状態で接続される際の、実施例１に係る親機とスマートタップ（ＩＩ）とスマートタップ（ＩＩＩ）との間の通信のシーケンスを示すシーケンス図である。
【図１３】図１３は、記憶部内の複数のレコードの記憶を説明する図である。
【図１４】図１４は、特別な設定を行わせることなく、機器間の上下関係を認識することが可能となることを示す図である。
【図１５】図１５は、給電用コンセントを備えるスマートタップ３ａ，３ｂの場合を示す図である。
【図１６】図１６は、複数の給電用コンセントを備えるスマートタップ３ｃの場合を示す図である。
【図１７】図１７は、親機を示す図である。
【図１８】図１８は、登録確認の信号の内容を示した図である。
【図１９】図１９は、実施例２の親機の処理手順を示すフローチャートである。
【図２０】図２０は、実施例２のスマートタップの処理手順を示すフローチャートである。
【図２１】図２１は、実施例２のスマートタップの処理手順を示すフローチャートの図２０の続きである。
【図２２】図２２は、図９に示すようにスマートタップ（Ｉ）が接続される際の、実施例２に係る親機とスマートタップ（Ｉ）との間の通信のシーケンスを示すシーケンス図である。
【図２３】図２３は、図１１に示すようにスマートタップ（ＩＩ）とスマートタップ（ＩＩＩ）が繋がった状態で接続される際の、実施例２に係る親機とスマートタップ（ＩＩ）とスマートタップ（ＩＩＩ）との間の通信のシーケンスを示すシーケンス図である。
【発明を実施するための形態】
【００１５】
以下、本発明の実施の形態について、図面を参照して説明する。
【実施例１】
【００１６】
図１〜図１５を参照して本発明の一実施形態について説明する。
まず、本実施の形態にかかる電力量管理システム全体構成について説明する。図１に示すように、本実施の形態にかかる電力量管理システムにおいて、分電盤１にはコンセント２ａ〜２ｃが取り付けられていて、コンセント２ｂにはスマートタップ３ａが接続されている。
スマートタップ３ａには複数のコンセント穴を有するテーブルタップ４が接続されている。テーブルタップ４にはスマートタップ３ｂ、３ｃが接続されていて、それぞれに負荷が接続されている。スマートタップ３ａは、テーブルタップ４以下に接続されている機器の消費電力の総和を測定でき、スマートタップ３ｂ、３ｃはそれぞれ負荷５ａ、負荷５ｂの消費電力量を測定することができる。
スマートタップ３ａ〜３ｃはそれぞれ通信機能を有しており、ＰＬＣ（電力線搬送通信）により測定値等の情報を親機６に送信する。
【００１７】
図２は受電用差込プラグ３１と給電用コンセント３２をそれぞれ１つずつ備えるスマートタップ３を示している。スマートタップ３は受電用差込プラグ３１と、給電用コンセント３２と、受電用差込プラグ３１と給電用コンセント３２間の通信信号を遮断する通信遮断部３３と、他機器と通信を行う通信部３４を備える。また、スマートタップ３は電圧測定部３５と電流測定部３６を備え、電圧測定部３５と電流測定部３６で測定した電圧値と電流値の積により電力および電力量を測定する電力測定部３７を備える。また、スマートタップ３は動作の制御を行う制御部３９を備える。
【００１８】
図３は１つの受電用差込プラグ３１と２つの給電用コンセント３２を備えるスマートタップ３を示している。
通信部３４は複数の給電用コンセント３２ａ〜３２ｂにそれぞれ接続されているので個別に通信が行うことができる。また、電圧測定部３５と電流測定部３６ａ、３６ｂとを備え、電力計測部３７は複数の給電用コンセント３２ａ〜３２ｂ各々の電力および電力量の計測を行う。
【００１９】
図４は親機６を示している。他機器と通信を行う通信部６２と、通信部６２から取得した電力量などの情報を格納する記憶部６４と、制御部６５を備える。制御部６５は親機が他機器と通信を行う際や、電力量等の情報を格納する動作の制御を行う。
【００２０】
つぎに、本実施の形態に係る機器間の通信信号の内容について説明する。図５〜図１０は本実施の形態に係る信号の内容に関する図である。
【００２１】
図５は、接続要求、接続確認、登録要求、測定データ、拒否の各信号の内容を示した図である。図５の（ａ）は、接続要求の信号の内容を示した図で、接続要求は信号の送信元を記述する送信元ＩＤを持ち、送信元ＩＤには信号を送信する機器の予め決められたＩＤを格納する。
【００２２】
図５の（ｂ）は、接続確認の信号の内容を示した図で、接続確認は信号の送信元を記述する送信元ＩＤと、信号の送信先を記述する送信先ＩＤとを持ち、送信元ＩＤには信号を送信する機器の予め決められたＩＤを格納し、送信先ＩＤにはこの信号を受け取る機器のＩＤを格納する。
【００２３】
図５の（ｃ）は、登録要求の信号の内容を示した図で、登録要求は信号の送信元を記述する送信元ＩＤと、上位機器の情報を記載する上位機器ＩＤとを持ち、送信元ＩＤには信号を送信する機器の予め決められたＩＤを格納し、上位機器ＩＤには機器の電源上流側に位置する機器のＩＤを格納する。
【００２４】
図５の（ｄ）は、登録確認の信号の内容を示した図で、登録確認は信号の送信元を記述する送信元ＩＤと、信号の送信先を記述する送信先ＩＤとを持ち、送信元ＩＤには信号を送信する機器の予め決められたＩＤを格納し、送信先ＩＤにはこの信号を受け取る機器のＩＤを格納する。
【００２５】
図５の（ｅ）は、測定データの信号の内容を示した図で、測定データは信号の送信元を記述する送信元ＩＤと、送信元機器の上位機器を記述する上位機器ＩＤと、測定したデータを格納する測定値とを持ち、送信元ＩＤには信号を送信する機器の予め決められたＩＤを格納し、上位機器ＩＤには機器の電源上流側に位置する機器のＩＤを格納し、測定値には機器で測定した電力量の値を格納する。
【００２６】
図５の（ｆ）は、拒否の信号の内容を示した図で、拒否は信号の送信元を記述する送信元ＩＤと、信号の送信先を記述する送信先ＩＤとを持ち、送信元ＩＤには信号を送信する機器の予め決められたＩＤを格納し、送信先ＩＤにはこの信号を受け取る機器のＩＤを格納する。
【００２７】
つぎに、本実施の形態に係る親機６の処理手順について説明する。図６は、本実施の形態に係る親機６の処理手順を示すフローチャートである。
【００２８】
図６に示すように、制御部６５は通信部６２から信号を受信したか否かを判断する（ステップＳ１０１）。信号を受信すると（ステップＳ１０１でＹｅｓである場合）、信号が接続要求であるか否かを判断する（ステップＳ１０２）。信号が接続要求である場合（ステップＳ１０２でＹｅｓである場合）、制御部６５は通信部６２から接続確認信号を送信する（ステップＳ１０３）。
【００２９】
一方、信号が接続要求でないと判断した場合（ステップＳ１０２でＮｏである場合）、信号が登録要求であるか否かを判断する（ステップＳ１０４）。信号が登録要求である場合（ステップＳ１０４でＹｅｓである場合）、制御部６５は通信部６２から登録確認信号を送信する（ステップＳ１０５）。
【００３０】
一方、信号が登録要求でないと判断した場合（ステップＳ１０４でＮｏである場合）、信号が測定データであるか否かを判断する（ステップＳ１０６）。信号が測定データである場合（ステップＳ１０６でＹｅｓである場合）、制御部６５は測定データを記憶部６４に記録する（ステップＳ１０７）。
【００３１】
一方、信号が測定データでない場合（ステップＳ１０６でＮｏである場合）、制御部は処理を終了する。
【００３２】
つぎに、本実施の形態に係るスマートタップ３の処理手順について説明する。図７は、本実施の形態に係るスマートタップの処理手順を示すフローチャートである。
【００３３】
図７に示すように、制御部３９は通信部３４から受電側へ接続要求信号を送信し（ステップＳ２０１）、受電側から拒否信号を受信したか否かを判断する（ステップＳ２０２）。拒否信号を受信すると（ステップＳ２０２でＹｅｓである場合）、ランダムな時間待機し（ステップＳ２０３）Ｓ２０１から処理を繰り返す。
【００３４】
一方、拒否信号を受信していないと判断した場合（ステップＳ２０２でＮｏである場合）、給電側から信号を受信したか否かを判断する（ステップＳ２０４）。給電側から信号を受信した場合（ステップＳ２０４でＹｅｓである場合）、給電側に拒否信号を送信し（ステップＳ２０５）Ｓ２０２から処理を繰り返す。
【００３５】
一方、給電側から信号を受信していないと判断した場合（ステップＳ２０４でＮｏである場合）、受電側から接続確認信号を受信したか否かを判断する（ステップＳ２０６）。受電側から接続確認信号を受信していないと判断した場合（ステップＳ２０６にでＮｏである場合）、Ｓ２０２から処理を繰り返す。
【００３６】
一方、受電側から接続確認信号を受信したと判断した場合（ステップＳ２０６でＹｅｓ）である場合、接続確認信号に格納された送信元ＩＤを上位機器のＩＤとして記憶する（ステップＳ２０６）。
【００３７】
そして、制御部３９は、通信部３４から受電側へ登録要求信号を送信し（ステップＳ２０８）、給電側から信号を受信したか否かを判断する（ステップＳ２０９）。給電側から信号を受信した場合（ステップＳ２０９でＹｅｓである場合）、給電側に拒否信号を送信し（ステップＳ２１０）、Ｓ２０９から処理を繰り返す。
【００３８】
一方、給電側から信号を受信していないと判断した場合（ステップＳ２０９でＮｏである場合）、受電側から登録確認信号を受信したか否かを判断する（ステップＳ２１１）。受電側から登録確認信号を受信していないと判断した場合（ステップＳ２１１にでＮｏである場合）、Ｓ２０９から処理を繰り返す。
【００３９】
一方、受電側から登録確認信号を受信したと判断した場合（ステップＳ２１１でＹｅｓ）である場合、図８に示すように、電力の測定を開始する（ステップＳ２１２）。
【００４０】
つぎに、給電側から信号を受信したか否かを判断する（ステップＳ２１３）。給電側から信号を受信したと判断した場合（ステップＳ２１３でＹｅｓである場合）、信号が接続要求であるか否かを判断する（ステップＳ２１４）。信号が接続要求である場合（ステップＳ２１４でＹｅｓである場合）、通信部３４から給電側へ接続確認信号を送信し（ステップＳ２１５）、Ｓ２１３から処理を繰り返す。一方、信号が接続要求でない場合（ステップＳ２１４でＮｏである場合）、信号をそのまま受電側に送信し（ステップＳ２１６）、Ｓ２１３から処理を繰り返す。
【００４１】
一方、給電側から信号を受信していないと判断した場合（ステップＳ２１３でＮｏである場合）、受電側から信号を受信したか否かを判断する（ステップＳ２１７）。受電側から信号を受信した判断した場合（ステップＳ２１７でＹｅｓである場合）、信号の送信先が自機であるか否かを判断する（ステップＳ２１８）。信号の送信先が自機でないと判断した場合（ステップＳ２１８でＮｏである場合）、信号をそのまま給電側に送信し（ステップＳ２１９）、Ｓ２１３から処理を繰り返す。一方、信号の送信先が自機であると判断した場合（ステップＳ２１８でＹｅｓである場合）、Ｓ２１３から処理を繰り返す。
【００４２】
一方、受電側から信号を受信していないと判断した場合（ステップＳ２１７でＮｏである場合）、電力測定値を取得したか否かを判断する（ステップＳ２２０）。電力測定値を取得したと判断した場合（ステップＳ２２０でＹｅｓである場合）、取得した電力測定値を測定データ信号に格納し受電側に送信し（ステップＳ２２１）、Ｓ２１３から処理を繰り返す。一方、電力測定値を取得していないと判断した場合（ステップＳ２２０でＮｏである場合）、Ｓ２１３から処理を繰り返す。
【００４３】
つぎに、本実施の形態に係る親機６とスマートタップ３間の通信のシーケンスについて説明する。図９は、スマートタップ（Ｉ）が接続される際の図である。図１０は、図９に示すようにスマートタップ（Ｉ）が接続される際の、本実施の形態に係る親機６とスマートタップ（Ｉ）との間の通信のシーケンスを示すシーケンス図である。
【００４４】
図１０に示すように、スマートタップ（Ｉ）に受電側に電力が供給されると、スマートタップ（Ｉ）は接続要求を受電側に送信する。つぎに、接続要求を受け取った親機６は接続確認を返信する。
【００４５】
つぎに、接続確認を受け取ったスマートタップ（Ｉ）は接続確認の送信元ＩＤを上位機器ＩＤとして登録要求を受電側に送信する。つぎに、登録要求を受け取った親機６は登録確認を返信する。つぎに、登録確認を受け取ったスマートタップ（Ｉ）は電力の測定を開始し、測定値の取得と測定データの受電側への送信を繰り返す。
【００４６】
つぎに、図１１は、図９の状態にスマートタップ（ＩＩ）とスマートタップ（ＩＩＩ）が繋がった状態で接続される際の図である。図１２は、図１１に示すようにスマートタップ（ＩＩ）とスマートタップ（ＩＩＩ）が繋がった状態で接続される際の、本実施の形態に係る親機６とスマートタップ（ＩＩ）とスマートタップ（ＩＩＩ）との間の通信のシーケンスを示すシーケンス図である。
【００４７】
図１２に示すように、スマートタップ（ＩＩ）の受電側に電力が供給されると、スマートタップ（ＩＩ）は接続要求を受電側に送信する。つぎに、接続要求を受け取った親機６は接続確認を返信する。つぎに、接続確認を受け取ったスマートタップ（ＩＩ）は接続確認の送信元ＩＤを上位機器ＩＤとして登録要求を受電側に送信する。つぎに、登録要求を受け取った親機６は登録確認を返信する。つぎに、登録確認を受け取ったスマートタップ（ＩＩ）は電力の測定を開始し、測定値の取得と測定データの受電側への送信を繰り返す。
【００４８】
一方、スマートタップ（ＩＩ）に受電側に電力が供給されると、スマートタップ（ＩＩＩ）の受電側にも電力が供給され、スマートタップ（ＩＩＩ）は接続要求を受電側に送信する。つぎに、接続要求を受け取ったスマートタップ（ＩＩ）は拒否信号を返信する（図７のステップＳ２０４でＹｅｓと判断）。つぎに、拒否信号を受け取ったスマートタップ（ＩＩＩ）はランダムな時間待機し（図７のステップＳ２０３）、ふたたび接続要求を受電側に送信する。
【００４９】
つぎに、接続要求を受け取ったスマートタップ（ＩＩ）は拒否信号を返信する（ステップＳ２０９でＹｅｓと判断）。つぎに、拒否信号を受け取ったスマートタップ（ＩＩＩ）はランダムな時間待機し（ステップＳ２０３）、ふたたび接続要求を受電側に送信する。つぎに、接続要求を受け取ったスマートタップ（ＩＩ）は接続確認を返信する。つぎに、接続確認を受け取ったスマートタップ（ＩＩＩ）は接続確認の送信元ＩＤを上位機器ＩＤとして登録要求を受電側に送信する。
【００５０】
つぎに、登録要求を受け取ったスマートタップ（ＩＩ）は登録要求をそのまま受電側に送信する（ステップＳ２１６）。つぎに、登録要求を受け取った親機６は登録確認を返信する。つぎに、登録確認を受け取ったスマートタップ（ＩＩ）は登録確認の送信先が自機でないため（ステップＳ２１８でＮｏと判断）、登録確認をそのまま給電側に送信する（ステップＳ２１９）。つぎに、登録確認を受け取ったスマートタップ（ＩＩＩ）は電力の測定を開始し、測定値の取得と測定データの受電側への送信を繰り返す。
【００５１】
この時スマートタップ（ＩＩ）は受信した測定データをそのまま受電側に送信する（ステップＳ２１６）。
【００５２】
つぎに、本実施の形態に係る親機６における記憶部６４内の記録内容について説明する。図１３は、本実施の形態に係る親機６における記憶部６４内の記録内容の詳細を示す図である。
【００５３】
図１３に示すように、記憶部６４内には複数のレコードを記憶することが可能で、１つのレコードごとに電力量と、当該電力量の測定対象期間を示した測定期間日時、当該電力量を測定した機器のＩＤを示す機器ＩＤと、当該機器ＩＤの上位に位置する機器のＩＤを示す上位機器ＩＤと、が格納されている。よって、これら機器ＩＤと上位機器ＩＤを元にユーザーに特別な設定を行わせることなく、図１４に示すように機器間の上下関係を認識することが可能となる。
【実施例２】
【００５４】
以下、図面に基づいて本発明の実施の形態２について説明する。まず、本実施の形態にかかる電力量管理システム全体構成について説明する。
【００５５】
本実施の形態２にかかる電力量管理システムは、本発明の実施の形態１と同様に、図１に示すように、分電盤１に繋がるコンセント２ａ〜２ｃと、コンセント２ｂに取り付けられるスマートタップ３ａと、スマートタップ３ａに取り付けられるテーブルタップ４と、テーブルタップ４に取り付けられるスマートタップ３ｂ〜３ｃと、スマートタップ３ｂ〜３ｃに取り付けられる負荷５ａ〜５ｃと、コンセント２ａに繋がる親機６とで構成される。
【００５６】
本実施の形態２にかかるスマートタップ３は、図１５に示すように、受電用差込プラグ３１と、給電用コンセント３２と、受電用差込プラグ３１と給電用コンセント３２間の通信信号のみを遮断する通信遮断部３３と、受電用差込プラグ３１側と給電用コンセント３２側に繋がる機器と通信を行う通信部３４を備える。また、スマートタップ３は電圧測定部３５と電流測定部３６を備え、電圧測定部３５と電流測定部３６で測定した電圧値と電流値により電力および電力量を測定する電力測定部３７を備える。また、スマートタップ３は親機６と無線通信を行う無線通信部３８と、制御部３９を備える。
【００５７】
また、図１６に示すように、本実施の形態２にかかる複数の給電用コンセントを備えるスマートタップ３ｃの場合、通信部３４は複数の給電用コンセント３２ａ〜３２ｂにおいて個別に通信が行える。また、電流測定部３６ａ〜３６ｂを備え、電力計測部３７は複数の給電用コンセント３２ａ〜３２ｂ各々の電力および電力量の計測を行う。
【００５８】
つぎに、図１７に示すように、本実施の形態２にかかる親機６において、受電用差込プラグ６１と、受電用差込プラグ６１側につながる機器と通信を行う通信部６２と、スマートタップ３と無線通信を行う無線通信部６３と、無線通信部６３から取得した電力量を格納する記憶部６４と、制御部６５を備える。
【００５９】
つぎに、本実施の形態に係る機器間の通信信号の内容について説明する。実施の形態１と同様に、図５は本実施の形態に係る信号の内容に関する図である。
【００６０】
図５（ａ）は、接続要求の信号の内容を示した図で、接続要求は信号の送信元を記述する送信元ＩＤを持ち、送信元ＩＤには信号を送信する機器の予め決められたＩＤを格納する。
【００６１】
図５（ｂ）は、接続確認の信号の内容を示した図で、接続確認は信号の送信元を記述する送信元ＩＤと、信号の送信先を記述する送信先ＩＤとを持ち、送信元ＩＤには信号を送信する機器の予め決められたＩＤを格納し、送信先ＩＤにはこの信号を受け取る機器のＩＤを格納する。
【００６２】
図５（ｃ）は、登録要求の信号の内容を示した図で、登録要求は信号の送信元を記述する送信元ＩＤと、上位機器の情報を記載する上位機器ＩＤとを持ち、送信元ＩＤには信号を送信する機器の予め決められたＩＤを格納し、上位機器ＩＤには機器の電源上流側に位置する機器のＩＤを格納する。
【００６３】
図１８は、登録確認の信号の内容を示した図で、図５（ｄ）とは異なり、登録確認は信号の送信元を記述する送信元ＩＤと、信号の送信先を記述する送信先ＩＤと、親機６との無線通信を行う際の接続情報を記述する無線通信接続情報とを持ち、送信元ＩＤには信号を送信する機器の予め決められたＩＤを格納し、送信先ＩＤにはこの信号を受け取る機器のＩＤを格納し、無線通信接続情報にはスマートタップから親機６とへ無線通信を行う際に必要な認証情報等の無線通信接続情報を格納する。
【００６４】
図５（ｅ）は、測定データの信号の内容を示した図で、測定データは信号の送信元を記述する送信元ＩＤと、送信元機器の上位機器を記述する上位機器ＩＤと、測定したデータを格納する測定値とを持ち、送信元ＩＤには信号を送信する機器の予め決められたＩＤを格納し、上位機器ＩＤには機器の電源上流側に位置する機器のＩＤを格納し、測定値には機器で測定した電力量を格納する。
【００６５】
つぎに、本実施の形態に係る親機６との処理手順について説明する。図１９は、本実施の形態に係る親機６との処理手順を示すフローチャートである。
【００６６】
図１９に示すように、制御部６５は通信部６２から信号を受信したか否かを判断する（ステップＳ１０１）。信号を受信すると（ステップＳ１０１でＹｅｓである場合）、信号が接続要求であるか否かを判断する（ステップＳ１０２）。信号が接続要求である場合（ステップＳ１０２でＹｅｓである場合）、制御部６５は通信部６２から接続確認信号を送信する（ステップＳ１０３）。
【００６７】
一方、信号が接続要求でないと判断した場合（ステップＳ１０２でＮｏである場合）、信号が登録要求であるか否かを判断する（ステップＳ１０４）。信号が登録要求である場合（ステップＳ１０４でＹｅｓである場合）、制御部６５は、通信部６２から登録確認信号を送信する（ステップＳ３０５）。
【００６８】
一方、信号が登録要求でないと判断した場合（ステップＳ１０４でＮｏである場合）、無線通信部６３から測定データを受信したか否かを判断する（ステップＳ１０６）。無線通信部６３から測定データを受信した場合（ステップＳ１０６でＹｅｓである場合）、制御部６５は測定データを記憶部６４に記録する（ステップＳ１０７）。
【００６９】
一方、無線通信部６３から測定データを受信していない場合（ステップＳ３０６でＮｏである場合）、制御部６５は処理を終了する。
【００７０】
つぎに、本実施の形態に係るスマートタップ３の処理手順について説明する。図２０は、本実施の形態に係るスマートタップ３の処理手順を示すフローチャートである。
【００７１】
図２０に示すように、制御部３９は通信部３４から受電側へ接続要求信号を送信し（ステップＳ２０１）、受電側から拒否信号を受信したか否かを判断する（ステップＳ２０２）。拒否信号を受信すると（ステップＳ２０２でＹｅｓである場合）、ランダムな時間待機し（ステップＳ２０３）Ｓ２０１から処理を繰り返す。
【００７２】
一方、拒否信号を受信していないと判断した場合（ステップＳ２０２でＮｏである場合）、給電側から信号を受信したか否かを判断する（ステップＳ２０４）。給電側から信号を受信した場合（ステップＳ２０４でＹｅｓである場合）、給電側に拒否信号を送信し（ステップＳ２０５）、Ｓ２０２から処理を繰り返す。
【００７３】
一方、給電側から信号を受信していないと判断した場合（ステップＳ２０４でＮｏである場合）、受電側から接続確認信号を受信したか否かを判断する（ステップＳ２０６）。受電側から接続確認信号を受信していないと判断した場合（ステップＳ２０６にでＮｏである場合）、Ｓ２０２から処理を繰り返す。
【００７４】
一方、受電側から接続確認信号を受信したと判断した場合（ステップＳ２０６でＹｅｓ）である場合、接続確認信号に格納された送信元ＩＤを上位機器のＩＤとして記憶する（ステップＳ２０６）。
【００７５】
そして、制御部３９は、通信部３４から受電側へ登録要求信号を送信し（ステップＳ２０８）、給電側から信号を受信したか否かを判断する（ステップＳ２０９）。給電側から信号を受信した場合（ステップＳ２０９でＹｅｓである場合）、給電側に拒否信号を送信し（ステップＳ２１０）、Ｓ２０９から処理を繰り返す。
【００７６】
一方、給電側から信号を受信していないと判断した場合（ステップＳ２０９でＮｏである場合）、受電側から登録確認信号を受信したか否かを判断する（ステップＳ２１１）。受電側から登録確認信号を受信していないと判断した場合（ステップＳ２１１にでＮｏである場合）、Ｓ２０９から処理を繰り返す。
【００７７】
一方、受電側から登録確認信号を受信したと判断した場合（ステップＳ２１１でＹｅｓ）である場合、登録確認信号に格納される認証情報等の無線通信接続情報を記憶し、図２１に示すように、電力の測定を開始する（ステップＳ２１２）。
【００７８】
つぎに、給電側から信号を受信したか否かを判断する（ステップＳ２１３）。給電側から信号を受信したと判断した場合（ステップＳ２１３でＹｅｓである場合）、信号が接続要求であるか否かを判断する（ステップＳ２１４）。信号が接続要求である場合（ステップＳ２１４でＹｅｓである場合）、通信部３４から給電側へ接続確認信号を送信し（ステップＳ２１５）、Ｓ２１３から処理を繰り返す。一方、信号が接続要求でない場合（ステップＳ２１４でＮｏである場合）、信号をそのまま受電側に送信し（ステップＳ２１６）、Ｓ２１３から処理を繰り返す。
【００７９】
一方、給電側から信号を受信していないと判断した場合（ステップＳ２１３でＮｏである場合）、受電側から信号を受信したか否かを判断する（ステップＳ２１７）。受電側から信号を受信した判断した場合（ステップＳ２１７でＹｅｓである場合）、信号の送信先が自機であるか否かを判断する（ステップＳ２１８）。信号の送信先が自機でないと判断した場合（ステップＳ２１８でＮｏである場合）、信号をそのまま給電側に送信し（ステップＳ２１９）、Ｓ２１３から処理を繰り返す。一方、信号の送信先が自機であると判断した場合（ステップＳ２１８でＹｅｓである場合）、Ｓ２１３から処理を繰り返す。
【００８０】
一方、受電側から信号を受信していないと判断した場合（ステップＳ２１７でＮｏである場合）、電力測定値を取得したか否かを判断する（ステップＳ２２０）。電力測定値を取得したと判断した場合（ステップＳ２２０でＹｅｓである場合）、取得した電力測定値を測定データ信号に格納し、記憶した認証情報等の無線通信接続情報を元に無線通信部６３より送信し（ステップＳ４２１）、Ｓ２１３から処理を繰り返す。一方、電力測定値を取得していないと判断した場合（ステップＳ２２０でＮｏである場合）、Ｓ２１３から処理を繰り返す。
【００８１】
つぎに、本実施の形態に係る親機６とスマートタップ３間の通信のシーケンスについて説明する。実施の形態１と同様に、図２２は、図１３に示すようにスマートタップ（Ｉ）が接続される際の、本実施の形態に係る親機６とスマートタップ（Ｉ）との間の通信のシーケンスを示すシーケンス図である。
【００８２】
図２２に示すように、スマートタップ（Ｉ）に受電側に電力が供給されると、スマートタップ（Ｉ）は接続要求を受電側に送信する。つぎに、接続要求を受け取った親機６は接続確認を返信する。つぎに、接続確認を受け取ったスマートタップ（Ｉ）は接続確認の送信元ＩＤを上位機器ＩＤとして登録要求を受電側に送信する。つぎに、登録要求を受け取った親機６は登録確認を返信する。つぎに、登録確認を受け取ったスマートタップ（Ｉ）は電力の測定を開始し、測定値の取得と測定データの無線通信での送信を繰り返す。
【００８３】
つぎに、図２３は、図１５に示すようにスマートタップ（ＩＩ）とスマートタップ（ＩＩＩ）が繋がった状態で接続される際の、本実施の形態に係る親機６とスマートタップ（ＩＩ）とスマートタップ（ＩＩＩ）との間の通信のシーケンスを示すシーケンス図である。
【００８４】
図２３に示すように、スマートタップ（ＩＩ）に受電側に電力が供給されると、スマートタップ（ＩＩ）は接続要求を受電側に送信する。つぎに、接続要求を受け取った親機６は接続確認を返信する。つぎに、接続確認を受け取ったスマートタップ（ＩＩ）は接続確認の送信元ＩＤを上位機器ＩＤとして登録要求を受電側に送信する。つぎに、登録要求を受け取った親機６は登録確認を返信する。つぎに、登録確認を受け取ったスマートタップ（ＩＩ）は電力の測定を開始し、測定値の取得と測定データの無線通信での送信を繰り返す。
【００８５】
一方、スマートタップ（ＩＩ）に受電側に電力が供給されると、スマートタップ（ＩＩＩ）の受電側にも電力が供給され、スマートタップ（ＩＩＩ）は接続要求を受電側に送信する。つぎに、接続要求を受け取ったスマートタップ（ＩＩ）は拒否信号を返信する（ステップＳ２０４でＹｅｓと判断）。つぎに、拒否信号を受け取ったスマートタップ（ＩＩＩ）はランダムな時間待機し（ステップＳ２０３）、ふたたび接続要求を受電側に送信する。
【００８６】
つぎに、接続要求を受け取ったスマートタップ（ＩＩ）は拒否信号を返信する（ステップＳ２０９でＹｅｓと判断）。つぎに、拒否信号を受け取ったスマートタップ（ＩＩＩ）はランダムな時間待機し（ステップＳ２０３）、ふたたび接続要求を受電側に送信する。つぎに、接続要求を受け取ったスマートタップ（ＩＩ）は接続確認を返信する。つぎに、接続確認を受け取ったスマートタップ（ＩＩＩ）は接続確認の送信元ＩＤを上位機器ＩＤとして登録要求を受電側に送信する。つぎに、登録要求を受け取ったスマートタップ（ＩＩ）は登録要求をそのまま受電側に送信する（ステップＳ２１６）。つぎに、登録要求を受け取った親機６は登録確認を返信する。つぎに、登録確認を受け取ったスマートタップ（ＩＩ）は登録確認の送信先が自機でないため（ステップＳ２１８でＮｏと判断）、登録確認をそのまま給電側に送信する（ステップＳ２１９）。つぎに、登録確認を受け取ったスマートタップ（ＩＩＩ）は電力の測定を開始し、測定値の取得と測定データの無線通信での送信を繰り返す。
【００８７】
つぎに、本実施の形態に係る親機６における記憶部６４内の記録内容について説明する。実施の形態１と同様に、図１３は、本実施の形態に係る親機６における記憶部内の記録内容の詳細を示す図である。
【００８８】
図１３に示すように、記憶部６４内には複数のレコードを記憶することが可能で、１つのレコードごとに電力量と、当該電力量の測定対象期間を示した測定期間日時、当該電力量を測定した機器のＩＤを示す機器ＩＤと、当該機器ＩＤの上位に位置する機器のＩＤを示す上位機器ＩＤと、が格納されている。よって、これら機器ＩＤと上位機器ＩＤを元に図１４に示すようにユーザーに特別な設定を行わせることなく、機器間の上下関係を認識することが可能となる。
【符号の説明】
【００８９】
１  分電盤
２ａ  コンセント
２ｂ  コンセント
３  スマートタップ
３ａ  スマートタップ
３ｂ  スマートタップ
３ｃ  スマートタップ
４  テーブルタップ
５ａ  負荷
５ｂ  負荷
６  親機
３１  受電用差込プラグ
３２  給電用コンセント
３２ａ  給電用コンセント
３２ｂ  給電用コンセント
３３  通信遮断部
３４  通信部
３５  電圧測定部
３６  電流測定部
３６ａ  電流測定部
３６ｂ  電流測定部
３７  電力測定部
３８  無線通信部
３９  制御部
６１  受電用差込プラグ
６２  通信部
６３  無線通信部
６４  記憶部
６５  制御部
【図１】
2014060827.tif 000003
【図２】
2014060827.tif 000004
【図３】
2014060827.tif 000005
【図４】
2014060827.tif 000006
【図５】
2014060827.tif 000007
【図６】
2014060827.tif 000008
【図７】
2014060827.tif 000009
【図８】
2014060827.tif 000010
【図９】
2014060827.tif 000011
【図１０】
2014060827.tif 000012
【図１１】
2014060827.tif 000013
【図１２】
2014060827.tif 000014
【図１３】
2014060827.tif 000015
【図１４】
2014060827.tif 000016
【図１５】
2014060827.tif 000017
【図１６】
2014060827.tif 000018
【図１７】
2014060827.tif 000019
【図１８】
2014060827.tif 000020
【図１９】
2014060827.tif 000021
【図２０】
2014060827.tif 000022
【図２１】
2014060827.tif 000023
【図２２】
2014060827.tif 000024
【図２３】
2014060827.tif 000025